(57)【要約】【課題】  地震発生時の免震パッドの粘着面における横滑りを防止することにより、転倒防止対象に対する転倒防止効果を向上することができる免震具を提供する。【解決手段】  本発明に係る免震具３は、家具等の転倒防止対象２の底面のコーナー部に配置されるベースプレート５と、このベースプレート５の上面に貼り付けられた接着層６と、ベースプレート５の下面に貼り付けられた表裏両面に粘着性を有するゲル状の合成樹脂よりなる免震パッド７とを備えており、この免震パッド７の粘着面に食い込む複数のスパイク部１０がベースプレート５の下面に一体に形成されている。【選択図】      図１
2006312008.tif 000002
【特許請求の範囲】
【請求項１】
家具等の転倒防止対象の底面のコーナー部に配置されるベースプレートと、このベースプレートの上面に貼り付けられた接着層と、前記ベースプレートの下面に貼り付けられた表裏両面に粘着性を有するゲル状の合成樹脂よりなる免震パッドとを備えており、
この免震パッドの粘着面に食い込む複数のスパイク部が前記ベースプレートの下面に一体に形成されていることを特徴とする免震具。
【請求項２】
前記ベースプレートは、前記接着層と前記免震パッドが表裏に積層されるプレート本体と、前記転倒防止対象における隣接する各側面に当接する側壁部とを一体に備えている請求項１に記載の免震具。
【請求項３】
前記ベースプレートは、前記転倒防止対象の底面に沿った矩形状のプレート本体と、このプレート本体の隣り合う一対の両辺から上方に向かって一体に突設された側壁部とを備えている請求項２に記載の免震具。
【請求項４】
家具等の転倒防止対象における底部前側の左右コーナーにそれぞれ配置される請求項１〜３のいずれかに記載の免震具よりなる左右一対の前側免震具と、同転倒防止対象における底部後側の左右コーナーにそれぞれ配置される請求項１〜３のいずれかに記載の免震具よりなる左右一対の後側免震具とからなる免震装置であって、
前記各免震具のうち、左右一対の前記前側免震具のベースプレートが、左右一対の前記後側免震具のベースプレートよりも厚肉に形成されていることを特徴とする免震装置。
【請求項５】
家具等の転倒防止対象の底面のコーナー部に配置されるベースプレートと、前記コーナー部に突き刺し固定可能な鋭利な先端を有しかつこの先端を上方に向けた状態で前記ベースプレートの上面に立設された固定部材と、前記ベースプレートの下面に貼り付けられた表裏両面に粘着性を有するゲル状の合成樹脂よりなる免震パッドとを備えており、
この免震パッドの粘着面に食い込む複数のスパイク部が前記ベースプレートの下面に一体に形成されていることを特徴とする免震具。
【請求項６】
前記ベースプレートは、前記転倒防止対象の底面に沿った矩形状のプレート本体と、このプレート本体の隣り合う一対の両辺から上方に向かって一体に突設された側壁部とを備えている請求項５に記載の免震具。
【請求項７】
前記固定部材は鋭利な先端を有する軸部と、この軸部の基端部に一体に設けられた頭部とからなる釘部材よりなり、この釘部材は、前記先端を上方に向けた状態で前記頭部を前記プレート本体の内部にインサート成型することで前記ベースプレートに固定されている請求項６に記載の免震具。
【請求項８】
家具等の転倒防止対象における底部前側の左右コーナーにそれぞれ配置される請求項５〜７のいずれかに記載の免震具よりなる左右一対の前側免震具と、同転倒防止対象における底部後側の左右コーナーにそれぞれ配置される請求項５〜７のいずれかに記載の免震具よりなる左右一対の後側免震具とからなる免震装置であって、
前記各免震具のうち、左右一対の前記前側免震具のベースプレートが、左右一対の前記後側免震具のベースプレートよりも厚肉に形成されていることを特徴とする免震装置。
【発明の詳細な説明】
【技術分野】
【０００１】  本発明は、家具等の転倒防止対象が地震の際に転倒するのを防止するための免震具及び免震装置に関する。
【背景技術】
【０００２】  例えば、食器棚、本棚、タンス、化粧ケース等の家具や、テレビ、ＯＡ機器等の比較的大型の電機製品（以下、これらの家具や電機製品等を総称して転倒防止対象という。）が地震の際に転倒するのを防止する手段として、表裏両面に粘着性を有するゲル状の合成樹脂よりなる免震パッドが知られている。
この免震パッドは、４〜６ｃｍ四方の大きさでかつ５ｍｍ程度の厚さを有する矩形状のプレートよりなり、引っ張りに対する伸び率が３００％以上という非常に大きな延伸性を備えている。また、表裏両面には粘着性があり、埃等が付着しても水洗いすればその粘着性が復元される性質を有している。【０００３】  かかる従来の免震パッドは、転倒防止対象を床面等の設置面に置く際に、転倒防止対象の四隅に対応する位置に貼り付けられ、その底面と設置面との間に介在される。従って、この免震パッドが床面との間に介在された転倒防止対象では、地震の揺れの大半が免震パッドによって吸収されて底面に直接伝達されなくなり、これによって当該転倒防止対象が地震の際に転倒するのを有効に防止できるようになっている。
【発明の開示】
【発明が解決しようとする課題】
【０００４】  しかるに、上記従来の免震パッドでは、粘着力を有する表裏両面が転倒防止対象の底面と設置面とにそれぞれ接着されているだけであるから、地震の横揺れが激しい場合には免震パッドが転倒防止対象の底面又は設置面に対して横滑りし、当該免震パッドによる振動吸収が有効に行われず、転倒防止対象に対する転倒防止効果が低減する場合がある。
特に、転倒防止対象の底面は布で拭き難いことから、その底面を清掃せずに免震パッドを当該底面に貼り付けることが多く、この場合には転倒防止対象の底面と免震パッドとの間に介在した埃等によって横滑りがより発生し易くなり、転倒防止効果がより一層することになる。【０００５】  そこで、本発明は、地震発生時の免震パッドの粘着面における横滑りを防止することにより、転倒防止対象に対する転倒防止効果を向上することができる免震具及び免震装置を提供することを目的とする。
【課題を解決するための手段】
【０００６】  上記目的を達成するために、本発明は次の技術的手段を講じた。
すなわち、本発明に係る免震具は、家具等の転倒防止対象の底面のコーナー部に配置されるベースプレートと、このベースプレートの上面に貼り付けられた接着層と、前記ベースプレートの下面に貼り付けられた表裏両面に粘着性を有するゲル状の合成樹脂よりなる免震パッドとを備えており、この免震パッドの粘着面に食い込む複数のスパイク部が前記ベースプレートの下面に一体に形成されていることを特徴とするものである。【０００７】  上記の免震具によれば、ベースプレートと、その上面に貼り付けられた接着層と、その下面に貼り付けられたゲル状の合成樹脂よりなる免震パッドとから三層構造に構成されており、免震パッドの粘着面に食い込む複数のスパイク部がベースプレートの下面に一体に形成されているので、当該スパイク部によるスパイク作用によって地震発生時の免震パッドの粘着面における横滑りを防止することができる。【０００８】  上記の免震具において、ベースプレートは、接着層と免震パッドが表裏に積層されるプレート本体と、転倒防止対象における隣接する各側面に当接する側壁部とを一体に備えていることが好ましい。より具体的には、ベースプレートは、転倒防止対象の底面に沿った矩形状のプレート本体と、このプレート本体の隣り合う一対の両辺から上方に向かって一体に突設された側壁部とを備えていることが好ましい。
この場合、プレート本体に一体に設けられた側壁部が転倒防止対象における隣接する各側面に当接するので、埃の介在等が原因で接着層による接着力が不十分であっても、転倒防止対象に対するプレート本体の横滑りの発生をより確実に防止することができる。【０００９】  また、本発明に係る免震装置は、四つの前記免震具をセット組にした製品であって、家具等の転倒防止対象における底部前側の左右コーナーにそれぞれ配置される前記免震具よりなる左右一対の前側免震具と、同転倒防止対象における底部後側の左右コーナーにそれぞれ配置される前記免震具よりなる左右一対の後側免震具とから構成されている。
そして、本発明においては、上記各免震具のうち、左右一対の前側免震具のベースプレートが、左右一対の後側免震具のベースプレートよりも厚肉に形成されている。【００１０】  この場合、転倒防止対象の前側部分に配置されるベースプレートの方が後側部分に配置されるベースプレートよりも厚肉になっているので、転倒防止対象の前側部分の方が後側部分よりも上位となる状態で設置されることになり、これにより、転倒防止対象が地震の揺れによって前倒しになるのをより確実に防止できるようになる。
ところで、ベースプレートの転倒防止対象に対する固定を接着層だけで行うと、地震の横揺れが激しい場合には、過大なせん断力によって接着層が転倒防止対象の底面から剥がれ、免震具が有効に機能しない恐れもあり得る。【００１１】  そこで、ベースプレートの転倒防止対象に対する固定手段としては、転倒防止対象の底面のコーナー部に対して突き刺し固定可能な固定部材を採用することが好ましい。
すなわち、本発明に係る他の免震具は、家具等の転倒防止対象の底面のコーナー部に配置されるベースプレートと、前記コーナー部に突き刺し固定可能な鋭利な先端を有しかつこの先端を上方に向けた状態で前記ベースプレートの上面に立設された固定部材と、前記ベースプレートの下面に貼り付けられた表裏両面に粘着性を有するゲル状の合成樹脂よりなる免震パッドとを備えており、この免震パッドの粘着面に食い込む複数のスパイク部が前記ベースプレートの下面に一体に形成されていることを特徴とする。【００１２】  上記固定部材は、具体的には、鋭利な先端を有する軸部と、この軸部の基端側に一体に設けられた頭部とからなる釘部材を採用することができる。この場合、前記先端を上方に向けた状態で前記頭部を前記プレート本体の内部にインサート成型するようにすれば、前記釘部材を前記ベースプレートに対して極めて強固に固定できるようになる。
【発明の効果】
【００１３】  以上の通り、本発明によれば、スパイク部によるスパイク作用によって地震発生時の免震パッドの粘着面における横滑りが防止されるので、転倒防止対象に対する転倒防止効果を向上することができる。
【発明を実施するための最良の形態】
【００１４】  以下、図面を参照しつつ本発明の実施形態を説明する。
図１は、本発明に係る免震装置１を使用した転倒防止対象の一例であるタンス２の側面図である。同図に示すように、この免震装置１は、合計四つの免震具３をセット組にした製品であって、タンス２における底部前側（図１の左側）の左右コーナーにそれぞれ配置される左右一対の前側免震具３Ｆと、タンス２における底部後側（図１の右側）に配置される左右一対の後側免震具３Ｒから構成されている。【００１５】  上記各免震具３は、転倒防止対象であるタンス２の底面のコーナー部に配置されるベースプレート５と、このベースプレート５の上面に貼り付けられた接着層６と、ベースプレート５の下面に貼り付けられた表裏両面に粘着性を有するゲル状の合成樹脂よりなる免震パッド７とを備えている。
図２及び図３に示すように、上記ベースプレート５は、硬質プラスチック製の成型品よりなり、タンス２の底面に沿った矩形状（図例ではほぼ正方形状）のプレート本体８と、このプレート本体８の隣り合う一対の両辺から上方に向かって一体に突設された側壁部９とを備えている。【００１６】  この両側壁部９，９は互いに直交しているとともに、プレート本体８に対しても直交しており、当該プレート本体８の頂点部分において互いに一体に繋がっている。このため、これらの両側壁部９，９とプレート本体８とで構成される凹み部分にタンス２の底部のコーナー部分を嵌め込むことにより、この各側壁部９，９がタンス２の側面に当接しかつプレート本体８がタンス２の底面に当接した状態で、当該免震具３をタンス２の底部隅角に装着できるようになっている。【００１７】  接着層６は、プレート本体８よりも一回り小さい大きさのほぼ正方形状に形成された両面テープよりなる。また、免震パッド７は、プレート本体８よりも一回り小さい大きさでかつ５ｍｍ程度の厚さを有するゲル状の合成樹脂よりなり、引っ張りに対する伸び率が３００％以上という非常に大きな延伸性を備えている。この免震パッド７の表裏両面には粘着性があり、埃等が付着しても水洗いすればその粘着性が復元される性質を有している。【００１８】  ベースプレート５のプレート本体８の下面には、免震パッド７の粘着面に食い込んで当該粘着面に対する滑り抵抗を増大させる複数のスパイク部１０が一体に形成されていて、この各スパイク部は頂角がほぼ９０度程度の円錐形状を呈している。
図２（ｄ）及び図３（ｄ）に示すように、この複数のスパイク部１０は、プレート本体８における各側壁部９，９が設けられている両辺とこの両辺を結ぶ対角線上に添ってほぼ直角三角形状に配列されているとともに、両側壁部９，９が交差するコーナー部と反対側のコーナー部に一つのスパイク部１０が配置されている。【００１９】  図２に示すように、前側免震具３Ｆを構成するベースプレート５のプレート本体８の表面側には、当該プレート本体８の対角線方向に添って延びる多数の嵩上げ突条１１が形成されている。なお、図２（ａ）においては、嵩上げ突条１１の頂面と同突条１１間の底面との区別を明瞭にするために、当該突条１１の頂面のみに細かいドットを付してある。
これに対して、図３に示すように、後側免震具３Ｒを構成するベースプレート５のプレート本体８の表面側は上記嵩上げ突条１１は形成されておらず、平坦になっている。このため、後側免震具３Ｒを構成するベースプレート５のプレート本体８の方が、前側免震具３Ｆを構成するベースプレート５のプレート本体８よりも厚肉に形成されている。【００２０】  上記構成に係る免震装置１を使用するには、図１に示すように、左右一対の前側免震具３Ｆを、その接着層６をタンス２の底面に貼り付けて当該タンス２における底部前側の左右コーナーにそれぞれ取り付け、左右一対の後側免震具３Ｆを、同じようにその接着層６をタンス２の底面に貼り付けて当該タンス２における底部後側の左右コーナーにそれぞれ取り付け、この状態でタンス２を部屋内の設置面に設置するようにすればよい。【００２１】  このさい、本実施形態の免震装置１によれば、ベースプレート５と、その上面に貼り付けられた接着層６と、その下面に貼り付けられたゲル状の合成樹脂よりなる免震パッド７とから三層構造に構成されており、免震パッド７の粘着面に食い込む複数のスパイク部１０がベースプレート５の下面に一体に形成されているので、当該スパイク部１０によるスパイク作用によって地震発生時の免震パッド７の粘着面における横滑りが防止され、タンス２に対する転倒防止効果が向上する。【００２２】  また、プレート本体８に一体に設けられた側壁部９，９がタンス２における隣接する各側面に当接するので、埃の介在等が原因で接着層６による接着力が不十分であっても、タンス２に対するプレート本体８の横滑りの発生をより確実に防止することができる。
また、本実施形態の免震装置１によれば、タンス２の前側部分に配置されるベースプレート５のプレート本体８の方が後側部分に配置されるベースプレート５のプレート本体８よりも厚肉になっているので、タンス２の前側部分の方が後側部分よりも上位となるように若干傾斜した状態で設置されるようになっている。このため、タンス２が水平状態で設置される場合に比べて、タンス２が地震の揺れによって前倒しになるのをより確実に防止することができる。【００２３】  図４及び図５は、前記免震具３の構成部材であるベースプレート５の変形例を示している。このうち、図４は前側免震具３Ｆに使用するベースプレート５であり、図５は後側免震具３Ｒに使用するベースプレート５である。
このベースプレート５は、図１〜図３のものとは異なり、タンス２に対する固定部材として、前記接着層６の代わりに釘部材１２を採用している。この釘部材１２は、タンス２の底面に突き刺し固定可能な鋭利な先端を有する軸部１３と、この軸部１３の基端部に一体に設けられた頭部１４とから構成され、その先端を上方に向けた状態で頭部１４をプレート本体８の内部にインサート成型することにより、当該ベースプレート５に固定されている。【００２４】  なお、図例では、一方の側壁部９に沿って３本の釘部材１２が直線上に並び、かつ、他方の側壁部９に沿って３本の釘部材１２が直線上に並ぶように、合計５本の釘部材１２がプレート本体８の上面に配列されている。
かかる変形例に係るベースプレート５を含む免震具３を使用するには、釘部材１２の先端をタンス２の底面のコーナー部に当接させてプレート本体８の裏面側をハンマー等で叩くことにより、当該タンス２のコーナー部にベースプレート５を固定し、その後、プレート本体８の裏面に免震パッド７を貼り付けて、この状態でタンス２を部屋内の設置面に設置するようにすればよい。【００２５】  かかる変形例に係るベースプレート５を採用した場合、プレート本体８から立設した釘部材１２をタンス２の底面に突き刺すことで当該ベースプレート５をタンス２に固定するようにしたので、前記接着層６による貼り付けの場合に比べて、地震の際にタンス２の底面とプレート本体８の間に生じるせん断力に対する抵抗力が飛躍的に向上する。このため、地震の横揺れが激しい場合であっても、過大なせん断力によってプレート本体８がタンス２の底面から剥がれることがなく、免震具３による免震機能をより向上させることができる。
【図面の簡単な説明】
【００２６】
【図１】  本発明に係る免震装置を使用したタンスの側面図である。
【図２】  （ａ）は前側免震具のベースプレートの平面図、（ｂ）はＡ−Ａ線断面図、（ｃ）は同同ベースプレートの正面図、（ｄ）は同ベースプレートの底面図である。
【図３】  （ａ）は後側免震具のベースプレートの平面図、（ｂ）はＢ−Ｂ線断面図、（ｃ）は同同ベースプレートの正面図、（ｄ）は同ベースプレートの底面図である。
【図４】  変形例に係る前側免震具のベースプレートの斜視図である。
【図５】  変形例に係る後側免震具のベースプレートの斜視図である。
【符号の説明】
【００２７】  １      免震装置
２      タンス（転倒防止対象）
３      免震具
３Ｆ    前側免震具
３Ｒ    後側免震具
５      ベースプレート
６      接着層
７      免震パッド
８      プレート本体
９      側壁部
１０      スパイク部
１２      釘部材（固定部材）
１３      軸部
１４      頭部
【図１】
2006312008.tif 000003
【図２】
2006312008.tif 000004
【図３】
2006312008.tif 000005
【図４】
2006312008.tif 000006
【図５】
2006312008.tif 000007